(57)【特許請求の範囲】
【請求項１】
中間の溶断部（１）にて連結された導電性基板（６、６）とこれに近接させて設けた膨出部を有するばね板（７、７）とにより形成された横断面方形枠状のメス端子（２、２）に左右一対の舌片挿入部（３、３）を設けると共に、当該メス端子（２、２）を絶縁性のハウジング（９）内に平行に配置して長尺状の接続部（１２）のみからなるブスバー（１０）の任意の位置に装着可能な差し込み式メス型ヒューズであって、メス端子（２、２）の舌片挿入部（３、３）とこれを保持するハウジング（９）の双方に、該ハウジング（９）の全幅を跨いで長尺状のブスバー（１０）がハウジング（９）の下方から舌片挿入部（３、３）に挿入可能な二条の平行なメス端子側のスリット（４、４）とハウジング側のスリット（８、８）をそれぞれ両メス端子（２、２）とハウジング（９）の下部に対応させて設けたことを特徴とする差し込み式メス型ヒューズ。
【請求項２】
中間の溶断部（１）にて連結された導電性基板（６、６）とこれに近接させて設けた膨出部を有するばね板（７、７）とにより形成された横断面方形枠状のメス端子（２、２）に左右一対の舌片挿入部（３、３）を設けると共に、当該メス端子（２、２）を絶縁性のハウジング（９）内に平行に配置して長尺状の接続部（１２）のみからなるブスバー（１０）の任意の位置に装着可能な差し込み式メス型ヒューズであって、一方のメス端子（２）の舌片挿入部（３）とこれを保持するハウジング（９）の双方に、該ハウジング（９）の全幅を跨いで長尺状のブスバー（１０）がハウジング（９）の下方から舌片挿入部（３）に挿入可能な一条のメス端子側のスリット（４）とハウジング側のスリット（８）をそれぞれメス端子（２）とハウジング（９）の下部に対応させて設けたことを特徴とする差し込み式メス型ヒューズ。
【発明の詳細な説明】
【０００１】
【発明の属する技術分野】
本発明は、差し込み式メス型ヒューズに関するものである。
【０００２】
【従来の技術】
従来、中間の溶断部にて連結された左右一対の舌片挿入部を有するメス端子を絶縁性のハウジング内に平行に配置した差し込み式のメス型ヒューズは各種存在するが、そのほとんどは、図５、図６に示すように、横断面方形枠状に形成した左右一対のメス端子２、２の舌片挿入部３、３を、ハウジング９の下面に設けた舌片状のオス端子１１挿入用の角窓５、５に対応させて組み込まれたものである。
【０００３】
従って、このメス型ヒューズを使用する平行配置されたブスバー１０においては、図６に示すように、舌片状のオス端子１１、１１を一対平行に配置したり、一方のブスバー１０には長尺状の接続部１２の上部に一定ピッチにて舌片状のオス端子１１、１１を設け、これと平行配置する他方のブスバー１０には、舌片状のオス端子１１を配置し、この一対のオス端子１１、１１間を跨ぐようにハウジング９下面の角窓５、５を合わせてメス型ヒューズを挿入する必要があった。
【０００４】
【発明が解決しようとする課題】
しかし、従来のブスバーにおいては、一対の舌片状のオス端子１１、１１を多数配置したり、長尺状の接続部１２の上部に舌片状のオス端子１１を一定ピッチにて複数突出させた状態のものをプレスの打ち抜きにより形成する必要があるため、配置に手間を要したり、材料取りにおいて不利なものとなっていた。
また、メス型ヒューズ挿入の際、個々の一対のオス端子１１、１１とハウジング下面の角窓５、５との見当合わせを必要としていた。
【０００５】
【課題を解決するための手段】
本発明は、個々の舌片状のオス端子１１をメス型ヒューズ下面の角窓５、５に挿入してメス端子２、２と接続していた従来の形態に代えて、メス端子２の舌片挿入部３とこれを保持するハウジング９の下面全幅にわたってメス端子側のスリット４とハウジング側のスリット８を設けることにより、従来のブスバーにおける舌片状のオス端子１１はもとより、単なる長尺状のブスバー１０であってもその任意な位置にメス端子２が挿入できるようにしたことを特徴とするものである。
【０００６】
すなわち、本発明の第１は、中間の溶断部１にて連結された導電性基板６、６とこれに近接させて設けた膨出部を有するばね板７、７とにより形成された横断面方形枠状のメス端子２、２に左右一対の舌片挿入部３、３を設けると共に、当該メス端子２、２を絶縁性のハウジング９内に平行に配置して長尺状の接続部１２のみからなるブスバー１０の任意の位置に装着可能な差し込み式メス型ヒューズであって、メス端子２、２の舌片挿入部３、３とこれを保持するハウジング９の双方に、該ハウジング９の全幅を跨いで長尺状のブスバー１０がハウジング９の下方から舌片挿入部３、３に挿入可能な二条の平行なメス端子側のスリット４、４とハウジング側のスリット８、８をそれぞれ両メス端子２、２とハウジング９の下部に対応させて設けたことを特徴とする差し込み式メス型ヒューズである。
【０００７】
また、本発明の第２は、中間の溶断部１にて連結された導電性基板６、６とこれに近接させて設けた膨出部を有するばね板７、７とにより形成された横断面方形枠状のメス端子２、２に左右一対の舌片挿入部３、３を設けると共に、当該メス端子２、２を絶縁性のハウジング９内に平行に配置して長尺状の接続部１２のみからなるブスバー１０の任意の位置に装着可能な差し込み式メス型ヒューズであって、一方のメス端子２の舌片挿入部３とこれを保持するハウジング９の双方に、該ハウジング９の全幅を跨いで長尺状のブスバー１０がハウジング９の下方から舌片挿入部３に挿入可能な一条のメス端子側のスリット４とハウジング側のスリット８をそれぞれメス端子２とハウジング９の下部に対応させて設けたことを特徴とする差し込み式メス型ヒューズである。
【０００８】
【発明の実施の形態】
以下、本発明の代表的な実施の形態を図に基づき説明する。
図１は本発明に係るメス型ヒューズを示すもので、（Ａ）は正面図、（Ｂ）は底面図、（Ｃ）は中央縦断正面図である。
このメス型ヒューズは、中間に溶断部１を備えた一対の舌片挿入部３、３を有する銅合金製のメス端子２、２が絶縁性のハウジング９内に平行に配置されているものであり、このハウジング９に対するメス端子２、２の装填形態は従来品と同様である。
【０００９】
すなわち、メス端子２、２は、図２に示すように、溶断部１にて連結された導電性基板６、６と、これに近接させて設けた膨出部を有するばね板７、７により横断面方形枠状の舌片挿入部３が形成され、その前後部には長尺状のブスバー１０の挿入可能な二条のメス端子側のスリット４、４が下面から上方に向けてブスバー１０の挿入に必要な深さまで設けられている。
【００１０】
図中８、８はハウジング９の下面から中程にかけてハウジング９の全幅にわたって形成された前記メス端子側のスリット４、４と略同一幅、同一深さのハウジング側のスリットで、このハウジング側のスリット８、８内に前記メス端子２、２の導電性基板６、６とばね板７、７の膨出部が臨んでいる。
【００１１】
従って、前記のメス型ヒューズは、図２に示すような単なる長尺状の接続部１２のみからなるブスバー１０の任意の位置に装着可能であり、また、図６に示すような従来の長尺状の接続部１２の上部に突出状に形成された舌片状のオス端子１１にも装着可能である。
【００１２】
図３は本発明に係るメス型ヒューズの他の一例を示すもので、（Ａ）は正面図、（Ｂ）は底面図、（Ｃ）は中央縦断正面図である。
このメス型ヒューズは、図１に示したメス型ヒューズにおける一方のメス端子２とこれを保持するハウジング９の部分が従来品と同様な形態を有するものである。
【００１３】
すなわち、中間に溶断部１を備えた一対の舌片挿入部３、３を有するメス端子２、２がハウジング９内に平行に配置されているメス型ヒューズにおいて、一方のメス端子２の舌片挿入部３とこれを保持するハウジング９の双方の下部に、該ハウジング９の全幅を跨いで長尺状のブスバー１０がハウジング９の下方から舌片挿入部３に挿入可能な一条のメス端子側のスリット４とハウジング側のスリット８をそれぞれメス端子２とハウジング９の下部に対応させて設けたものである。
【００１４】
従って、このメス型ヒューズにおいては、スリットを設けない側には、従来の舌片状のオス端子１１しか挿入できないが、スリットを設けた側は、図４に示すような単なる長尺状の接続部１２のみからなるブスバー１０の任意の位置に装着可能であり、また、図６に示すような従来の長尺状の接続部１２の上部に突出状に形成された舌片状のオス端子１１や個々の舌片状のオス端子１１にも装着可能である。
【００１５】
【発明の効果】
本発明は、メス型ヒューズのメス端子の舌片挿入部とハウジング下部に、長尺状のオス端子の挿入可能なスリットを二条または一条設けるという単純な構成のものであるため、製作は容易で、その利用に際して融通性がある。
【００１６】
また、ブスバー作成に当たっても単なる長尺状のブスバーでよいため、材料取りが有利になると共に、プレスの打ち抜き工程が簡略化でき、さらには、ヒューズブロックの高さを低くすることができる。
【００１７】
さらに、単なる長尺状のブスバーの自由な位置に装着可能であることから、メス型ヒューズの装着ピッチを自由に変えることができ、また、ブスバーを曲げて使用する場合の曲げ位置の制限もなくなるので設計変更の対応が容易となる。
【００１８】
従って、本発明の産業利用性は非常に大きいと言える。
【図面の簡単な説明】
【図１】本発明に係るメス型ヒューズの一例を示すもので、（Ａ）は正面図、（Ｂ）は底面図、（Ｃ）は中央縦断正面図。
【図２】図１のメス型ヒューズの使用形態を示す一部切欠斜視図。
【図３】本発明に係るメス型ヒューズの他の一例を示すもので、（Ａ）は正面図、（Ｂ）は底面図、（Ｃ）は中央縦断正面図。
【図４】図３のメス型ヒューズの使用形態を示す一部切欠斜視図。
【図５】従来のメス型ヒューズの一例を示すもので、（Ａ）は正面図、（Ｂ）は底面図、（Ｃ）は中央縦断正面図。
【図６】図５のメス型ヒューズの使用形態を示す一部切欠斜視図。
【符号の説明】
１溶断部
２メス端子
３舌片挿入部
４スリット
５角窓
６導電性基板
７ばね板
８スリット
９ハウジング
１０ブスバー
１１オス端子
１２長尺状の接続部
【図１】
0003757299.tif 000002
【図２】
0003757299.tif 000003
【図３】
0003757299.tif 000004
【図４】
0003757299.tif 000005
【図５】
0003757299.tif 000006
【図６】
0003757299.tif 000007